(57)【要約】【課題】重複録音を防止する機能は複雑な回路を必要とする。【解決手段】録音対象の音楽曲をフラッシュメモリ３１に録音するディスク再生部２１及びＤＳＰ２２を備えた車載用オーディオ装置１であって、録音対象の音楽曲に関わる固有識別情報を検出する固有識別情報検出部６２と、フラッシュメモリ３１に録音する音楽曲と対応付けて同音楽曲に関わる固有識別情報をフォルダ管理メモリ３２に記憶管理するフォルダ管理６３と、録音対象の音楽曲に関わる固有識別情報を検出すると、同固有識別情報に該当する固有識別情報がフォルダ管理メモリ３２内にあるか否かを判定する情報判定部６４と、該当する固有識別情報があると判定されると、この録音対象の音楽曲をフラッシュメモリへの録音動作を禁止する制御部６８とを有している。【選択図】  図３
2004342247.tif 000002
【特許請求の範囲】
【請求項１】
録音指令を検出すると、録音対象の音楽曲を記憶手段に録音する録音手段を備えたオーディオ装置であって、
前記録音指令を検出すると、前記録音対象の音楽曲に関わる固有識別情報を検出する情報検出手段と、
前記記憶手段に録音する音楽曲と対応付けて、前記情報検出手段にて検出した同音楽曲に関わる固有識別情報を記憶管理する記憶管理手段と、
前記情報検出手段にて前記録音対象の音楽曲に関わる固有識別情報を検出すると、この固有識別情報に該当する固有識別情報が前記記憶管理手段内にあるか否かを判定する情報判定手段と、
この情報判定手段にて該当する固有識別情報があると判定されると、この録音対象の音楽曲を前記記憶手段に録音する録音動作を禁止するように、前記録音手段を制御する制御手段とを有することを特徴とするオーディオ装置。
【請求項２】
前記制御手段は、
前記情報判定手段にて該当する固有識別情報がないと判定されると、この録音対象の音楽曲を前記記憶手段に録音する録音動作を実行するように、前記録音手段を制御することを特徴とする請求項１記載のオーディオ装置。
【請求項３】
前記固有識別情報は、
前記録音対象の音楽曲を記録した記録媒体を識別する媒体識別情報と、同記録媒体に記録された音楽曲毎の曲識別情報とを含むことを特徴とする請求項１又は２記載のオーディオ装置。
【請求項４】
録音指令を検出すると、記録媒体に複数記録された録音対象の音楽曲を記憶手段に録音する録音手段を備えたオーディオ装置であって、
前記録音指令を検出すると、前記録音対象の音楽曲に関わる固有識別情報を検出する情報検出手段と、
前記記憶手段に録音する音楽曲と対応付けて、前記情報検出手段にて検出した同音楽曲に関わる固有識別情報を記憶管理する記憶管理手段と、
前記情報検出手段にて前記録音対象の音楽曲に関わる固有識別情報を検出すると、この固有識別情報に該当する固有識別情報が前記記憶管理手段内にあるか否かを判定する情報判定手段と、
この情報判定手段にて該当する固有識別情報があると判定されると、この録音対象の音楽曲を前記記憶手段に録音する録音動作を禁止すると共に、前記情報検出手段にて該当する固有識別情報がないと判定されると、前記記録媒体に複数記録された音楽曲の内、前記記憶手段に未録音の音楽曲を録音するように、前記録音手段を制御する制御手段とを有することを特徴とするオーディオ装置。
【請求項５】
前記固有識別情報は、
前記録音対象の音楽曲を記録した記録媒体を識別する媒体識別情報と、同記録媒体に記録された音楽曲毎の曲識別情報とを含むことを特徴とする請求項４記載のオーディオ装置。
【発明の詳細な説明】
【０００１】
【発明の属する技術分野】
本発明は、音楽曲を複数記録した、例えばＣＤ，ＤＶＤ、ＭＤ等のディスク（記録媒体）から録音対象の音楽曲を選択し、この選択した録音対象の音楽曲を、例えばフラッシュメモリやハードディスク等の記憶手段に録音する録音機能を備えた車載用オーディオ装置等のオーディオ装置に関する。
【０００２】
【従来の技術】
従来、このようなオーディオ装置としては、複数の音楽曲を記録したディスクから録音対象の音楽曲を選択し、この選択した録音対象の音楽曲をフラッシュメモリに録音する録音機能と、このフラッシュメモリに録音した音楽曲を再生する再生機能を備えたものが知られている（例えば特許文献１参照）。
【０００３】
このような特許文献１のオーディオ装置によれば、ディスクに記録された音楽曲をフラッシュメモリに録音し、このフラッシュメモリに録音した音楽曲を再生できるようにしたので、フラッシュメモリに所望の音楽曲を録音しておくことで、同音楽曲をディスクで保管する必要がなくなる。
【０００４】
しかしながら、このようなオーディオ装置によれば、ディスクに記録された音楽曲をフラッシュメモリに録音できるようにしたが、例えば録音対象の音楽曲と同一の音楽曲がフラッシュメモリに既に録音済みであったとしても、録音対象の音楽曲をフラッシュメモリに重複録音してしまうといった事態も考えられる。
【０００５】
そこで、このような事態に対処すべく、特許文献１のオーディオ装置によれば、車載用オーディオ装置を対象としていないが、ディスクに記録された音楽曲を録音対象の音楽曲としてフラッシュメモリに録音する際、録音対象の音楽曲の所定曲範囲部分、例えば曲先頭から所定時間分の音響信号を抽出すると共に、フラッシュメモリに録音済みの音楽曲の同一所定曲範囲部分の音響信号を抽出することで、これら同一所定曲範囲部分の音響信号を比較し、これら同一所定曲範囲部分の音響信号が同一であると判定されると、録音対象の音楽曲はフラッシュメモリに録音済みであると判断し、重複録音の警告メッセージを表示出力すると共に、その重複録音を禁止するようにしている。
【０００６】
【特許文献１】
特開２００２−２０８２５９号（要約書、図１及び図２参照）
【０００７】
【発明が解決しようとする課題】
しかしながら、上記従来のオーディオ装置によれば、ディスクに記録された音楽曲を録音対象の音楽曲としてフラッシュメモリに録音する際、録音対象の音楽曲と録音済み音楽曲との同一所定曲範囲部分の音響信号を抽出し、これら音響信号が同一であると判断されると、録音対象の音楽曲はフラッシュメモリに録音済みであると判断するようにしたが、録音対象の音楽曲と録音済み音楽曲との同一所定曲範囲部分を抽出し、これら同一所定曲範囲部分を比較するためには複雑な回路構成を必要とする。
【０００８】
本発明は上記点に鑑みてなされたものであり、その目的とするところは、録音対象の音楽曲を録音する際に、複雑な回路構成を要することなく、同一音楽曲の重複録音を確実に防止することができるオーディオ装置を提供することにある。
【０００９】
【課題を解決するための手段】
上記目的を達成するために本発明のオーディオ装置は、録音指令を検出すると、録音対象の音楽曲を記憶手段に録音する録音手段を備えたオーディオ装置であって、前記録音指令を検出すると、前記録音対象の音楽曲に関わる固有識別情報を検出する情報検出手段と、前記記憶手段に録音する音楽曲と対応付けて、前記情報検出手段にて検出した同音楽曲に関わる固有識別情報を記憶管理する記憶管理手段と、前記情報検出手段にて前記録音対象の音楽曲に関わる固有識別情報を検出すると、この固有識別情報に該当する固有識別情報が前記記憶管理手段内にあるか否かを判定する情報判定手段と、この情報判定手段にて該当する固有識別情報があると判定されると、この録音対象の音楽曲を前記記憶手段に録音する録音動作を禁止するように、前記録音手段を制御する制御手段とを有するようにした。
【００１０】
従って、本発明のオーディオ装置によれば、前記記憶手段に録音済みの音楽曲と対応づけて同音楽曲に関わる固有識別情報を記憶管理手段に記憶管理しておき、録音対象の音楽曲を前記記憶手段に録音する際には、この録音対象の音楽曲の固有識別情報を検出し、この録音対象の音楽曲の固有識別情報に該当する固有識別情報が記憶管理手段内にあると判定されると、記憶手段内に録音対象の音楽曲が録音済みであると判断し、この録音対象の音楽曲の前記記憶手段への録音を禁止するようにしたので、比較的扱いやすい固有識別情報を利用することで複雑な回路構成を用いることなく、同一音楽曲の重複録音を確実に防止することができる。
【００１１】
本発明のオーディオ装置は、前記制御手段が、前記情報判定手段にて該当する固有識別情報がないと判定されると、この録音対象の音楽曲を前記記憶手段に録音する録音動作を実行するように、前記録音手段を制御するようにした。
【００１２】
従って、本発明のオーディオ装置によれば、録音対象の音楽曲を前記記憶手段に録音する際に、この録音対象の音楽曲の固有識別情報を検出し、この固有識別情報に該当する固有識別情報が記憶管理手段内にないと判定されると、記憶手段内に録音対象の音楽曲が未録音であると判断し、この録音対象の音楽曲を前記記憶手段に録音するようにしたので、同一音楽曲の重複録音を確実に防止しながら、様々な音楽曲を録音することができる。
【００１３】
本発明のオーディオ装置は、前記固有識別情報が、前記録音対象の音楽曲を記録した記録媒体を識別する媒体識別情報と、同記録媒体に記録された音楽曲毎の曲識別情報とを含むようにした。
【００１４】
従って、本発明のオーディオ装置によれば、固有識別情報が媒体識別情報と曲識別情報とを含むようにしたので、例えばディスクの媒体識別情報（ＴＯＣ情報）に含まれるディスク情報と、ディスクの曲識別情報に含まれるトラック番号とを利用することで、録音対象の音楽曲が録音済みであるか否かを確実に判定することができる。
【００１５】
本発明のオーディオ装置は、録音指令を検出すると、記録媒体に複数記録された録音対象の音楽曲を記憶手段に録音する録音手段を備えたオーディオ装置であって、前記録音指令を検出すると、前記録音対象の音楽曲に関わる固有識別情報を検出する情報検出手段と、前記記憶手段に録音する音楽曲と対応付けて、前記情報検出手段にて検出した同音楽曲に関わる固有識別情報を記憶管理する記憶管理手段と、前記情報検出手段にて前記録音対象の音楽曲に関わる固有識別情報を検出すると、この固有識別情報に該当する固有識別情報が前記記憶管理手段内にあるか否かを判定する情報判定手段と、この情報判定手段にて該当する固有識別情報があると判定されると、この録音対象の音楽曲を前記記憶手段に録音する録音動作を禁止すると共に、前記情報検出手段にて該当する固有識別情報がないと判定されると、前記記録媒体に複数記録された音楽曲の内、前記記憶手段に未録音の音楽曲を録音するように、前記録音手段を制御する制御手段とを有するようにした。
【００１６】
従って、本発明のオーディオ装置によれば、前記記憶手段に録音済みの音楽曲と対応づけて、この音楽曲に関わる固有識別情報を記憶管理手段に記憶管理しておき、記録媒体に複数記録された録音対象の音楽曲を前記記憶手段に録音する際には、これら録音対象の音楽曲の固有識別情報を検出し、この固有識別情報に該当する固有識別情報が記憶管理手段内にあると判定されると、記憶手段内に録音対象の音楽曲が録音済みであると判断し、この録音対象の音楽曲を前記記憶手段に録音する録音動作を禁止し、該当する固有識別情報がないと判定されると、記憶手段内に録音対象の音楽曲が未録音であると判断し、前記記録媒体に複数記録された音楽曲の内、前記記憶手段に未録音の音楽曲を録音するようにしたので、比較的扱いやすい固有識別情報を利用することで複雑な回路構成を用いることなく、記録媒体単位で録音するにしても、この記録媒体に記録された同一音楽曲の重複録音を確実に防止することができる。
【００１７】
本発明のオーディオ装置は、前記固有識別情報が、前記録音対象の音楽曲を記録した記録媒体を識別する媒体識別情報と、同記録媒体に記録された音楽曲毎の曲識別情報とを含むようにした。
【００１８】
従って、本発明のオーディオ装置によれば、固有識別情報が媒体識別情報と曲識別情報とを含むようにしたので、例えばディスクの媒体識別情報（ＴＯＣ情報）に含まれるディスク情報と、ディスクの曲識別情報に含まれるトラック番号とを利用することで、録音対象の音楽曲が録音済みであるか否かを確実に判定することができる。
【００１９】
【発明の実施の形態】
以下、図面に基づいて本発明のオーディオ装置における実施の形態を示す車載用オーディオ装置について説明する。図１は本実施の形態を示す車載用オーディオ装置内部の概略構成を示すブロック図である。
【００２０】
図１に示す車載用オーディオ装置１は、ラジオチューナ機能と、ディスク再生機能と、このディスク再生機能にて再生した音楽曲を圧縮録音し、さらには、この圧縮録音した音楽曲を再生可能とする圧縮録音再生機能と、これらラジオチューナ機能、ディスク再生機能及び圧縮録音再生機能からの出力信号を音量調整する電子ボリューム部２と、この電子ボリューム部２にて音量調整した出力信号を増幅するアンプ部３と、このアンプ部３にて増幅した出力信号を音声出力するスピーカ部４と、様々な操作を入力する操作パネル５と、この車載用オーディオ装置１全体を制御するマイコン６とを有している。
【００２１】
ラジオチューナ機能は、到来する放送電波を受信する受信アンテナ１１と、この受信アンテナ１１で受信した放送電波から任意周波数の放送信号に同調するラジオチューナ部１２と、任意周波数の放送信号に同調するための同調周波数信号を生成するＰＬＬ１３と、ラジオチューナ部１２にて同調した放送信号がＲＤＳ放送信号の場合には、このＲＤＳ放送信号からＲＤＳデータを抽出し、この抽出したＲＤＳデータを解読するＲＤＳデコーダ１４とを有している。
【００２２】
ディスク再生機能は、ディスクに記録された音楽曲を再生するディスク再生部２１と、このディスク再生部２１にて再生した音楽曲の信号処理を施すＤＳＰ２２とを有している。
【００２３】
圧縮録音再生機能は、ディスク再生部２１にて再生した音楽曲を圧縮録音するフラッシュメモリ３１と、録音指令を検出すると、ディスク再生部２１にて再生した音楽曲（録音対象の音楽曲）を圧縮し、この圧縮した音楽曲をフラッシュメモリ３１に圧縮録音すると共に、再生指令を検出すると、フラッシュメモリ３１に圧縮録音された音楽曲（録音済み音楽曲）を伸長し、この伸長した音楽曲を電子ボリューム部２に伝送するＤＳＰ２２と、フラッシュメモリ３１に圧縮録音した音楽曲に関わるフォルダ単位で管理するフォルダ管理情報を記憶したフォルダ管理メモリ３２とを有している。
【００２４】
尚、圧縮録音再生機能のＤＳＰ２２では、高音質のＨＱモード及び通常音質のＬＰモードの２種類の録音設定モードを有し、ＨＱモードでは、４４．１ｋＨｚのサンプリングレート及び６４ｋｂｐｓのビットレートで音楽曲を圧縮し、ＬＰモードでは、３２ｋＨｚのサンプリングレート及び４８ｋＨｚのビットレートで音楽曲を圧縮するものである。
【００２５】
また、ＤＳＰ２２は、ディスクに記録された録音対象の音楽曲をフラッシュメモリ３１に録音する場合、このディスクに対応した新しいフォルダをフラッシュメモリ３１内に作成し、このフォルダ内に録音対象の音楽曲を、設定中の録音設定モードに対応したビットレートで圧縮録音するものである。尚、フラッシュメモリ３１内のフォルダは、ディスク１枚につき１個のフォルダが作成され、例えば１枚のディスクに記録された複数の音楽曲の内、数曲の音楽曲がディスクに対応したフォルダに録音され、後日、残りの音楽曲を録音する場合には、同ディスクに対応した同一のフォルダ内に音楽曲が録音されることになる。また、このフォルダには、後述するフォルダ番号が付与され、同フォルダ内に録音済みの音楽曲にはトラック番号が付与されることになる。
【００２６】
操作部パネル５は、複数のキー群で構成し、様々な指令を入力する操作部４０と、様々な情報を表示する表示部５０とを有し、表示部５０は、操作部４０の各キーに対応したＬＥＤ表示部５１と、操作部４０のキー群の内、後述するＲＥＣキー４２に設けたイルミネーション機能であるキーイルミネーション表示部５２と、メッセージ等を表示するＬＣＤ表示部５３とを有している。
【００２７】
図２は車載用オーディオ装置１の操作パネル５を示す説明図である。
【００２８】
操作パネル５の操作部４０は、例えばラジオチューナ機能、ディスク再生機能や圧縮録音再生機能等を選択するＦＮＣキー４１Ａと、このＦＮＣキー４１Ａにて選択された機能の動作モードを切替選択するＢＮＤキー４１Ｂと、フラッシュメモリ３１に音楽曲を圧縮録音する圧縮録音再生機能の録音動作を起動するＲＥＣキー４２と、様々な指令内容をＬＣＤ表示部５３に表示させるジョグダイヤル４１Ｃと、ディスク再生機能や圧縮録音再生機能時の早送りキー４１Ｄ及び早戻しキー４１Ｅと、ディスク再生機能や圧縮録音再生機能時の再生又は一時停止を実行すると共に、圧縮録音再生機能時の録音対象又は消去対象を選択するＥＮＴキー４３と、ディスク再生機能時は曲単位でサーチアップ又はサーチダウン動作を実行し、圧縮録音再生機能時の再生中はフラッシュメモリ３１内を曲単位（ファイル単位）でファイルアップ又はファイルダウン動作を実行し、圧縮録音再生機能時の再生中以外の場合はフォルダ単位でフォルダアップ又はフォルダダウン動作を実行するＵＰキー４１Ｆ及びＤＯＷＮキー４１Ｇとを有している。
【００２９】
さらに操作部４０は、ディスク再生機能又は圧縮録音再生機能時にスキャン再生を実行するＳＣＮキー４１Ｈと、ディスク再生機能又は圧縮録音再生機能時にリピート再生を実行するＲＰＴキー４１Ｉと、ディスク再生機能又は圧縮録音再生機能時にランダム再生を実行するＲＤＭキー４１Ｊと、圧縮録音再生機能時にフラッシュメモリ３１に録音済みの音楽曲をファイル消去するＥＲＳキー４４と、オートストア及びプリセットを実行するＡＳ／ＰＳキー４１Ｋと、圧縮録音再生機能時にタイトル名として、例えばフォルダ番号をＬＣＤ表示部５３に表示するＴＩＴＬＥキー４１Ｌと、ＬＣＤ表示部５３に表示中のタイトル名を、例えばフォルダ番号又はファイル番号に切替表示するＤＩＳＰキー４１Ｍと、交通情報をワンタッチ操作で受信するＩＳＲキー４１Ｎと、ディスク再生部２１に搭載したディスクを排出するＥＪＥＣＴキー４１Ｏとを有している。
【００３０】
尚、ＳＣＮキー４１Ｈ、ＲＰＴキー４１Ｉ及びＲＤＭキー４１Ｊは、スキャン再生、リピート再生及びランダム再生等の特殊再生を起動するものである。
【００３１】
圧縮録音再生機能時のスキャン再生は、フラッシュメモリ３１に録音済みの音楽曲を曲単位（ファイル単位）で曲先頭の１０秒間のみを順次再生するファイルスキャン再生と、フラッシュメモリ３１に録音済みのディスク単位（フォルダ単位）でフォルダ内の先頭曲（ファイル番号“００１”）に関わる曲先頭の１０秒間のみを順次再生するフォルダスキャン再生とを有し、ＳＣＮキー４１Ｈの押下時間が１秒未満であると判定されると、ファイルスキャン再生を設定し、ＳＣＮキー４１Ｈの押下時間が１秒以上であると判定されると、フォルダスキャン再生を設定するものである。
【００３２】
圧縮録音再生機能時のリピート再生は、フラッシュメモリ３１に録音済みの音楽曲を曲単位（ファイル単位）でリピート再生するファイルリピート再生と、フラッシュメモリ３１に録音済みのディスク単位（フォルダ単位）で同フォルダ内の音楽曲をリピート再生するフォルダリピート再生とを有し、ＲＰＴキー４１Ｉの押下時間が１秒未満であると判定されると、ファイルリピート再生を設定し、ＲＰＴキー４１Ｉの押下時間が１秒以上であると判定されると、フォルダリピート再生を設定するものである。
【００３３】
圧縮録音再生機能時のランダム再生は、フォルダ内の全音楽曲をランダム再生するフォルダ内ランダム再生と、フラッシュメモリ３１内の全音楽曲をランダム再生するメモリ内ランダム再生とを有し、ＲＤＭキー４１Ｊの押下時間が１秒未満であると判定されると、フォルダ内ランダム再生を設定し、ＲＤＭキー４１Ｊの押下時間が１秒以上であると判定されると、メモリ内ランダム再生を設定するものである。
【００３４】
図３は本実施の形態に関わる車載用オーディオ装置１のマイコン６内部の概略構成を示すブロック図である。
【００３５】
図３に示すマイコン６は、ディスク再生部２１から録音対象の音楽曲をフラッシュメモリ３１に圧縮録音すべく、ＤＳＰ２２及びディスク再生部２１を駆動制御する録音駆動制御部６１と、ディスク再生部２１を通じてディスクの固有識別情報を検出する固有識別情報検出部６２と、フォルダ管理メモリ３２の制御を司るフォルダ管理部６３と、録音対象の音楽曲の録音指令を検出すると、この録音対象の音楽曲に対応した固有識別情報に該当する固有識別情報（ディスク情報及びトラック番号）がフォルダ管理メモリ３２内にあるか否かを判定する情報判定部６４と、録音対象の音楽曲をフラッシュメモリ３１に録音できる状態、すなわち録音可能状態であるか否かを判定する録音可能状態判定部６５と、操作パネル５内の操作部４０の操作を監視する操作監視部６６と、操作パネル５内の表示部５０に報知内容を報知すべく、表示部５０を駆動制御する報知駆動制御部６７と、このマイコン６全体の制御を司る制御部６８とを有している。
【００３６】
制御部６８は、録音機能を起動する録音モードを設定可能とし、この録音モードは、ディスク単位で同ディスク内の全音楽曲をフラッシュメモリ３１に圧縮録音するディスク録音処理と、曲単位で１音楽曲をフラッシュメモリ３１に圧縮録音する１トラック録音処理とを有している。
【００３７】
制御部６８は、１トラック録音処理中に、情報判定部６４にて録音対象の音楽曲に対応した固有識別情報に該当する固有識別情報（ディスク情報及びトラック番号）がフォルダ管理メモリ３２内にあると判定されると、この録音対象の音楽曲をフラッシュメモリ３１に圧縮録音する録音動作を禁止すると共に、情報判定部６４にて該当する固有識別情報（ディスク情報及びトラック番号）がフォルダ管理メモリ３２内にないと判定されると、この録音対象の音楽曲をフラッシュメモリ３１に圧縮録音させるようにした。
【００３８】
制御部６８は、ディスク録音処理中に、情報判定部６４にて該当固有識別情報（ディスク情報及びトラック番号）があると判定されると、この録音対象の音楽曲をフラッシュメモリ３１に圧縮録音する録音動作を禁止すると共に、情報判定部６４にて該当固有識別情報（ディスク情報及びトラック番号）がないと判定されると、ディスクに記録された音楽曲の内、フラッシュメモリ３１に未録音の音楽曲を録音するようにした。
【００３９】
フォルダ管理部６３は、フラッシュメモリ３１内のフォルダ及び、同フォルダ内に圧縮録音した音楽曲（ファイル）を固有識別情報と対応付けることでフォルダ管理情報を生成し、このフォルダ管理情報をフォルダ管理メモリ３２に記憶管理するものである。
【００４０】
図４はフォルダ管理メモリ３２のメモリ内容であるフォルダ管理情報の一例を示す説明図である。
【００４１】
フォルダ管理メモリ３２は、フォルダ毎にフォルダ管理情報を記憶管理している。このフォルダ管理情報は、フラッシュメモリ３１内に形成したフォルダを識別するフォルダ番号と、同フォルダに録音するディスクの固有識別情報のＴＯＣ情報に含まれるディスク情報と、このフォルダ内に録音済みの音楽曲に付与されるフォルダ内でのファイル番号と、固有識別情報に含まれる音楽曲のトラック番号と、同音楽曲をフラッシュメモリ３１に録音した録音設定モードとを有し、フォルダ単位で録音した複数の音楽曲の固有識別情報（ディスク情報及びトラック番号）を記憶管理している。
【００４２】
例えばフォルダ番号“１”のフォルダには、“Ａ”のディスクのトラック番号“１”、“２”及び“３”の音楽曲をファイル番号“００１”、“００２”、“００３”としてフラッシュメモリ３１にＨＱモードで圧縮録音されている例を示している。
【００４３】
また、フォルダ番号“７”のフォルダには、“Ｆ”のディスクのトラック番号“３”の音楽曲をファイル番号“００１”としてフラッシュメモリ３１にＨＱモードで圧縮録音し、トラック番号“５”の音楽曲をファイル番号“００２”としてＨＱモードで圧縮録音し、トラック番号“１”の音楽曲をファイル番号“００３”としてフラッシュメモリ３１にＬＰモードで圧縮録音されている例を示している。
【００４４】
尚、請求項記載のオーディオ装置は車載用オーディオ装置１、記憶手段はフラッシュメモリ３１、録音手段はディスク再生部２１及びＤＳＰ２２、情報検出手段は固有識別情報検出部６２、記憶管理手段はフォルダ管理部６３及びフォルダ管理メモリ３２、情報判定手段は情報判定部６４、制御手段は制御部６８及び録音駆動制御部６１、固有識別情報はディスク情報及びトラック番号、媒体識別情報はディスク情報、曲識別情報はトラック番号に相当するものである。
【００４５】
次に本実施の形態を示す車載用オーディオ装置１の動作について説明する。図５は本実施の形態に関わる車載用オーディオ装置１の録音モード処理に関わるマイコン６の処理動作を示すフローチャートである。
【００４６】
図５に示す録音モード処理とは、ディスク再生部２１にて録音対象の音楽曲をフラッシュメモリ３１に圧縮録音する処理である。
【００４７】
図５においてマイコン６の操作監視部６６は、ＲＥＣキー４２の押下操作を検出したか否かを判定する（ステップＳ１１）。
【００４８】
マイコン６の制御部６８は、ＲＥＣキー４２の押下操作を検出したのであれば、ディスク再生部２１にてディスク再生中であるか否かを判定する（ステップＳ１２）。
【００４９】
操作監視部６６は、ディスク再生中であると判定されると、所定時間タイマをスタートする（ステップＳ１３）。尚、この所定時間タイマとは、押下操作時間（例えば２秒間）を計時するタイマに相当するものである。
【００５０】
操作監視部６６は、所定時間タイマをスタートすると、ステップＳ１１のＲＥＣキー４２の押下時間が所定時間未満であるか否かを判定する（ステップＳ１４）。制御部６８は、ＲＥＣキー４２の押下時間が所定時間未満であると判定されると、図６の１トラック録音処理に移行し（ステップＳ１５）、この１トラック録音処理を実行した後、この録音モード処理を終了する。
【００５１】
また、制御部６８は、ステップＳ１４にてＲＥＣキー４２の押下時間が所定時間未満でないと判定されると、図７のディスク録音処理に移行し（ステップＳ１６）、このディスク録音処理を実行した後、この録音モード処理を終了する。
【００５２】
また、ステップＳ１１にてＲＥＣキー４２の押下操作を検出したのでなければ、又はステップＳ１２にてディスク再生中でなければ、この録音モード処理を終了する。
【００５３】
この録音モード処理によれば、ディスク再生部２１によるディスク再生中にＲＥＣキー４２の押下操作を検出し、この押下時間が所定時間未満であると判定されると、１トラック録音処理に移行し、押下時間が所定時間未満でないと判定されると、ディスク録音処理に移行するようにしたので、ＲＥＣキー４２の単一操作で１トラック録音処理又はディスク録音処理に移行することができる。
【００５４】
次にステップＳ１５の１トラック録音処理について説明する。図６は１トラック録音処理に関わるマイコン６の処理動作を示すフローチャートである。
【００５５】
図６に示す１トラック録音処理は、現在ディスク再生中の音楽曲を録音対象の音楽曲としてフラッシュメモリ３１に圧縮録音する、１トラック単位の録音処理である。
【００５６】
図６においてマイコン６の制御部６８は、ディスク再生部２１にて特殊再生中であるか否かを判定する（ステップＳ２１）。尚、この特殊再生とは、例えばスキャン再生、リピート再生やランダム再生等である。
【００５７】
制御部６８は、ディスク再生部２１にて特殊再生中でないと判定されると、現在の通常再生を停止する（ステップＳ２２）。尚、この通常再生の停止は、録音対象の音楽曲の再生が終了してしまうのを防止するためである。
【００５８】
録音可能状態判定部６５は、ＤＳＰ２２を通じてフラッシュメモリ３１の空き容量と、ディスク再生部２１を通じて録音対象の音楽曲（指定トラック）の容量とを夫々チェックし（ステップＳ２３）、フラッシュメモリ３１内に指定トラックを録音することができるだけの空き容量があるか否かを判定する（ステップＳ２４）。
【００５９】
さらに録音可能状態判定部６５は、フラッシュメモリ３１内に録音可能な空き容量があると判定されると、ディスク再生部２１を通じて同録音対象の音楽曲を記録したディスクが録音可能ディスクであるか否かを判定する（ステップＳ２５）。尚、この録音可能ディスクとは、例えばＣＤ−ＤＡであり、録音不可能ディスクとは、コピープロテクションディスク（以下、単にＣＣＣＤ）等である。
【００６０】
情報判定部６４は、ステップＳ２５にて録音可能ディスクであると判定されると、固有識別情報検出部６２を通じてディスクの固有識別情報を検出し、この固有識別情報に含まれるディスク情報に対応したフォルダがフォルダ情報メモリ３２内にあるか否かを、フォルダ管理情報に基づいて判定する（ステップＳ２６）。
【００６１】
情報判定部６４は、同ディスクのディスク情報に対応したフォルダがあると判定されると、フォルダ管理情報に基づいて、同フォルダ内に同録音対象の音楽曲（指定トラック）が未録音であるか否かを判定する（ステップＳ２７）。
【００６２】
尚、同フォルダ内に録音対象の音楽曲が未録音であるか否かは、フォルダ管理情報内の同ディスクに対応するトラック番号内に、同指定トラックの固有識別情報に含まれるトラック番号があるか否かで判断するものである。つまり、フォルダ管理情報内の同ディスクに対応するトラック番号内に同指定トラックのトラック番号があると判定されると、同フォルダ内に同録音対象の音楽曲が録音済みであると判断し、フォルダ管理情報内の同ディスクに対応するトラック番号内に、同指定トラックのトラック番号がないと判定されると、同フォルダ内に同録音対象の音楽曲が未録音であると判断するものである。
【００６３】
制御部６８は、ステップＳ２７にて同フォルダ内に指定トラックが未録音であると判定されると、報知駆動制御部６７を通じて、ＲＥＣキー４２のキーイルミネーション表示部５２を緑色点灯する（ステップＳ２８）。尚、ユーザは、ＲＥＣキー４２のキーイルミネーション表示部５２の緑色点灯で録音動作の開始を認識するものである。
【００６４】
さらに制御部６８は、録音駆動制御部６１を通じて、現在停止中のトラック再生を指定トラックの先頭に戻し、この指定トラックの先頭からフラッシュメモリ３１の同フォルダ内への録音動作を開始する（ステップＳ２９）。
【００６５】
制御部６８は、報知駆動制御部６７を通じて、ＲＥＣキー４２のキーイルミネーション表示部５２を緑色点滅し（ステップＳ３０）、ＬＣＤ表示部５３に“ＴＲＡＣＫ  ＲＥＣ”を表示する（ステップＳ３１）。尚、ユーザは、ＲＥＣキー４２のキーイルミネーション表示部５２の緑色点滅で録音動作中であることを認識することができ、さらには“ＴＲＡＣＫ  ＲＥＣ”で１トラック録音が行われていることを認識することができる。
【００６６】
制御部６８は、録音駆動制御部６１を通じて録音対象の音楽曲の録音動作が完了したか否かを判定する（ステップＳ３２）。制御部６８は、録音動作が完了したのであれば、ＲＥＣキー４２のキーイルミネーション表示部５２を消灯し（ステップＳ３３）、ＬＣＤ表示部５３に“ＲＥＣ  ＤＯＮＥ”を表示する（ステップＳ３４）。尚、ユーザは、ＲＥＣキー４２のキーイルミネーション表示部５２の消灯及び“ＲＥＣ  ＤＯＮＥ”の表示で録音動作が完了したことを認識することができる。
【００６７】
さらに制御部６８は、フォルダ管理部６３を通じてフォルダ内に録音した音楽曲に関わるフォルダ管理情報、例えば図４に示すフォルダ番号、ディスク情報、ファイル番号、本来のトラック番号及び録音設定モードをフォルダ管理メモリ３２に記憶更新することで（ステップＳ３５）、この１トラック録音処理の処理動作を終了する。
【００６８】
制御部６８は、ステップＳ２１にて特殊再生中であると判定されると、報知駆動制御部６７を通じてＬＣＤ表示部５３に“ＢＵＳＹ”を表示することで（ステップＳ３６）、この処理動作を終了する。尚、ユーザは、“ＢＵＳＹ”の表示で特殊再生中のため録音動作を行うことができないことを認識することができる。
【００６９】
また、制御部６８は、ステップＳ２４にてフラッシュメモリ３１内に指定トラックの録音可能な空き容量がないと判定されると、報知駆動制御部６７を通じてＬＣＤ表示部５３に“ＭＥＭＯＲＹ  ＦＵＬＬ”を表示することで（ステップＳ３７）、この処理動作を終了する。尚、ユーザは、“ＭＥＭＯＲＹ  ＦＵＬＬ”の表示でフラッシュメモリ３１の空き容量がないため、録音動作を行うことができないことを認識することができる。
【００７０】
また、制御部６８は、ステップＳ２５にて指定ディスクが録音可能ディスクでないと判定されると、報知駆動制御部６７を通じてＬＣＤ表示部５３に“ＮＯ  ＲＥＣ”を表示することで（ステップＳ３８）、この処理動作を終了する。尚、ユーザは、“ＮＯ  ＲＥＣ”の表示で録音可能なディスクでないため、録音動作を行うことができないことを認識することができる。
【００７１】
また、制御部６８は、ステップＳ２７にてフォルダ内に録音対象の音楽曲（指定トラック）が未録音でない、すなわち録音済みであると判定されると、この録音動作を受け付けることなく、報知駆動制御部６７を通じてＬＣＤ表示部５３に“ＩＮＣＬＵＤＥＤ”を表示することで（ステップＳ３９）、この処理動作を終了する。尚、ユーザは、“ＩＮＣＬＵＤＥＤ”の表示で録音済みであることを認識することができる。
【００７２】
また、制御部６８は、ステップＳ２６にて指定ディスクに対応したフォルダがフラッシュメモリ３１内にないと判定されると、この指定ディスクに対応したフォルダをフラッシュメモリ３１に作成し（ステップＳ４０）、録音動作を開始すべく、ステップＳ２８に移行する。
【００７３】
図６に示す１トラック録音処理によれば、現在ディスク再生中の音楽曲をフラッシュメモリ３１内に圧縮録音する際に同ディスクの固有識別情報及びフォルダ管理情報に基づいて同ディスクの録音対象の音楽曲がフラッシュメモリ３１内に録音されているか否かを判定し、録音対象の音楽曲がフラッシュメモリ３１内に録音されていないと判定されると、同録音対象の音楽曲をフラッシュメモリ３１に圧縮録音すると共に、録音対象の音楽曲がフラッシュメモリ３１内に録音されていると判定されると、同録音対象の音楽曲をフラッシュメモリ３１に録音する録音動作を禁止するようにしたので、１トラック単位での重複録音を確実に防止することができる。
【００７４】
また、このような１トラック録音処理によれば、ＲＥＣキー４２のキー操作を検出したとしても、録音不可能状態、例えば現在のディスク再生が特殊再生中の場合、フラッシュメモリ３１の空き容量が録音対象の音楽曲の容量に満たない場合、同指定トラックを記録したディスクが録音可能ディスクでない場合、又はフラッシュメモリ３１内に同録音対象の音楽曲が録音済みの場合には、ＲＥＣキー４２のキー操作を受け付けず、録音動作を行わないようにしたので、１トラック単位での無駄な録音動作を回避することができる。
【００７５】
このような１トラック録音処理によれば、録音可能状態の場合にはＲＥＣキー４２のキーイルミネーション表示部５２を緑色点灯し、録音中の場合にはＲＥＣキー４２のキーイルミネーション表示部５２を緑色点滅し、録音不可能状態の場合にはＲＥＣキー４２のキーイルミネーション表示部５２を消灯するようにしたので、ユーザはＲＥＣキー４２のキーイルミネーション表示部５２を目視するだけで録音に関わる様々な状態を認識することができる。
【００７６】
次に図５に示すステップＳ１６のディスク録音処理について説明する。図７はディスク録音処理に関わるマイコン６の処理動作を示すフローチャートである。
【００７７】
図７に示すディスク録音処理は、録音対象の音楽曲を記録したディスクの全音楽曲を録音対象としてフラッシュメモリ３１に圧縮録音する、ディスク単位の録音処理である。
【００７８】
図７においてマイコン６の制御部６８は、ディスク再生部２１にて特殊再生中であるか否かを判定する（ステップＳ５１）。
【００７９】
制御部６８は、ディスク再生部２１にて特殊再生中でないと判定されると、現在の通常再生を停止する（ステップＳ５２）。尚、この通常再生の停止は、録音対象の音楽曲を記録したディスク再生が終了してしまうの防止するためである。
【００８０】
録音可能状態判定部６５は、ＤＳＰ２２を通じてフラッシュメモリ３１の空き容量と、ディスク再生部２１を通じて録音対象のディスクの全音楽曲（指定ディスク）の容量とを夫々チェックし（ステップＳ５３）、フラッシュメモリ３１内に指定ディスクを録音することができるだけの空き容量があるか否かを判定する（ステップＳ５４）。
【００８１】
さらに録音可能状態判定部６５は、フラッシュメモリ３１内に録音可能な空き容量があると判定されると、ディスク再生部２１を通じて指定ディスクが録音可能ディスクであるか否かを判定する（ステップＳ５５）。
【００８２】
制御部６８は、ステップＳ５５にて録音可能ディスクであると判定されると、録音駆動制御部６１を通じて指定ディスクの先頭トラックに待機する（ステップＳ５６）。
【００８３】
さらに情報判定部６４は、固有識別情報検出部６２を通じてディスクの固有識別情報を検出し、この固有識別情報に含まれるディスク情報に対応したフォルダがフォルダ管理メモリ３２内にあるか否かを、フォルダ管理情報に基づいて判定する（ステップＳ５７）。
【００８４】
情報判定部６４は、同ディスクのディスク情報に対応したフォルダがあると判定されると、フォルダ管理情報に基づいて、同フォルダ内に同指定ディスクの全音楽曲が録音済みであるか否かを判定する（ステップＳ５８）。
【００８５】
尚、同フォルダ内に指定ディスクの全音楽曲が録音済みであるか否かは、同ディスクに対応したフォルダ管理情報内の全音楽曲に関わるトラック番号が、同ディスクの固有識別情報に含まれる全音楽曲に関わるトラック番号と合致しているかを判断するものである。つまり、フォルダ管理情報内の同ディスクに対応する全音楽曲に関わる全トラック番号と同ディスクの固有識別情報に含まれる全音楽曲に関わる全トラック番号とが合致していると判定されると、同フォルダ内に指定ディスクの全音楽曲が録音済みであると判断し、フォルダ管理情報内の同ディスクに対応する全音楽曲に関わる全トラック番号と同ディスクの固有識別情報に含まれる全音楽曲に関わる全トラック番号と合致していないと判定されると、同フォルダ内に指定ディスクの全音楽曲が録音済みでないと判断するものである。
【００８６】
制御部６８は、ステップＳ５８にてフォルダ管理情報に基づいて指定ディスクの全音楽曲が録音済みでないと判定されると、報知駆動制御部６７を通じて、ＲＥＣキー４２のキーイルミネーション表示部５２を緑色点灯する（ステップＳ５９）。尚、ユーザは、ＲＥＣキー４２のキーイルミネーション表示部５２の緑色点灯で録音動作の開始を認識するものである。
【００８７】
さらに制御部６８は、録音駆動制御部６１を通じて、現在待機中の先頭トラックから未録音のトラックの先頭に戻り、未録音の先頭トラックからフラッシュメモリ３１の同フォルダ内への録音動作を開始する（ステップＳ６０）。尚、未録音の先頭トラックからの録音動作とは、例えばディスクに記録した１０曲の音楽曲内、トラック番号“２”及び“６”の音楽曲を除いて、全ての音楽曲がフラッシュメモリ３１に録音済みの場合、まずは、未録音のトラック番号“２”の音楽曲を録音し、その後、無録音のトラック番号“６”の音楽曲を同ディスクに対応したフォルダ内に録音するものである。
【００８８】
制御部６８は、未録音の先頭トラックからフラッシュメモリ３１の同フォルダ内への録音動作を開始すると、報知駆動制御部６７を通じて、ＲＥＣキー４２のキーイルミネーション表示部５２を緑色点滅し（ステップＳ６１）、ＬＣＤ表示部５３に“ＤＩＳＣ  ＲＥＣ”を表示する（ステップＳ６２）。尚、ユーザは、ＲＥＣキー４２のキーイルミネーション表示部５２の緑色点滅で録音動作中であることを認識することができ、さらには“ＤＩＳＣ  ＲＥＣ”でディスク録音が行われていることを認識することができる。
【００８９】
制御部６８は、録音駆動制御部６１を通じて指定ディスク内の未録音の全音楽曲の録音動作が完了したか否かを判定する（ステップＳ６３）。制御部６８は、録音動作が完了したのであれば、ＲＥＣキー４２のキーイルミネーション表示部５２を消灯し（ステップＳ６４）、ＬＣＤ表示部５３に“ＲＥＣ  ＤＯＮＥ”を表示する（ステップＳ６５）。尚、ユーザは、ＲＥＣキー４２のキーイルミネーション表示部５２の消灯及び“ＲＥＣ  ＤＯＮＥ”の表示で録音動作が完了したことを認識することができる。
【００９０】
制御部６８は、フォルダ管理部６３を通じてフォルダ内に録音した音楽曲に関わるフォルダ管理情報、例えば図４に示すフォルダ番号、ディスク情報、ファイル番号、本来のトラック番号及び録音設定モードをフォルダ管理メモリ３２に記憶更新することで（ステップＳ６６）、このディスク録音処理の処理動作を終了する。
【００９１】
制御部６８は、ステップＳ５１にて特殊再生中であると判定されると、報知駆動制御部６７を通じてＬＣＤ表示部５３に“ＢＵＳＹ”を表示することで（ステップＳ６７）、この処理動作を終了する。尚、ユーザは、“ＢＵＳＹ”の表示で特殊再生中のため録音動作を行うことができないことを認識することができる。
【００９２】
また、制御部６８は、ステップＳ５４にてフラッシュメモリ３１内に指定ディスクの録音可能な空き容量がないと判定されると、報知駆動制御部６７を通じてＬＣＤ表示部５３に“ＭＥＭＯＲＹ  ＦＵＬＬ”を表示することで（ステップＳ６８）、この処理動作を終了する。尚、ユーザは、“ＭＥＭＯＲＹ  ＦＵＬＬ”の表示でフラッシュメモリ３１の空き容量がないため、録音動作を行うことができないことを認識することができる。
【００９３】
また、制御部６８は、ステップＳ５５にて指定ディスクが録音可能ディスクでないと判定されると、報知駆動制御部６７を通じてＬＣＤ表示部５３に“ＮＯ  ＲＥＣ  ＤＩＳＣ”を表示することで（ステップＳ６９）、この処理動作を終了する。尚、ユーザは、“ＮＯ  ＲＥＣ  ＤＩＳＣ”の表示で録音可能なディスクでないため、録音動作を行うことができないことを認識することができる。
【００９４】
また、制御部６８は、ステップＳ５８にてフォルダ管理情報に基づいて指定ディスクの全音楽曲が録音済みであると判定されると、この録音操作を受け付けることなく、報知駆動制御部６７を通じてＬＣＤ表示部５３に“ＩＮＣＬＵＤＥＤ”を表示することで（ステップＳ７０）、この処理動作を終了する。尚、ユーザは、“ＩＮＣＬＵＤＥＤ”の表示で録音済みであることを認識することができる。
【００９５】
また、制御部６８は、ステップＳ５７にて指定ディスクに対応したフォルダがフラッシュメモリ３１内にないと判定されると、この指定ディスクに対応したフォルダをフラッシュメモリ３１に作成し（ステップＳ７１）、報知駆動制御部６７を通じてＲＥＣキー４２のキーイルミネーション表示部５２を緑色点灯する（ステップＳ７２）。
【００９６】
さらに制御部６８は、現在待機中の指定ディスク内の先頭トラックからフラッシュメモリ３１の同フォルダ内への録音動作を開始し（ステップＳ７３）、ステップＳ６１に移行する。
【００９７】
このように図７に示すディスク録音処理によれば、現在ディスク再生中のディスク内の全音楽曲をフラッシュメモリ３１内に圧縮録音する際に同ディスクの固有識別情報及びフォルダ管理情報に基づいて同ディスクの録音対象の音楽曲がフラッシュメモリ３１内に録音されているか否かを判定し、同ディスク内の全音楽曲の内、フラッシュメモリ３１内に未録音の音楽曲があると判定されると、同未録音の音楽曲のみをフラッシュメモリ３１に録音すると共に、同ディスク内の全音楽曲がフラッシュメモリ３１内に録音済みであると判定されると、この録音動作を禁止するようにしたので、ディスク単位での重複録音を確実に防止することができる。
【００９８】
また、このようなディスク録音処理によれば、ＲＥＣキー４２のキー操作を検出したとしても、録音不可能状態、例えば現在のディスク再生が特殊再生中の場合、フラッシュメモリ３１の空き容量が録音対象のディスクの全音楽曲の容量に満たない場合、同指定ディスクが録音可能ディスクでない場合、又はフラッシュメモリ３１内に同録音対象の音楽曲が録音済みの場合には、ＲＥＣキー４２のキー操作を受け付けず、録音動作を行わないようにしたので、ディスク単位での無駄な録音動作を回避することができる。
【００９９】
このようなディスク録音処理によれば、録音可能状態の場合にはＲＥＣキー４２のキーイルミネーション表示部５２を緑色点灯し、録音中の場合にはＲＥＣキー４２のキーイルミネーション表示部５２を緑色点滅し、録音不可能状態の場合にはＲＥＣキー４２のキーイルミネーション表示部５２を消灯するようにしたので、ユーザはＲＥＣキー４２のキーイルミネーション表示部５２を目視するだけで録音に関わる様々な状態を認識することができる。
【０１００】
本実施の形態によれば、フラッシュメモリ３１に録音済みの音楽曲と対応づけて同音楽曲に関わる固有識別情報（ディスク情報及びトラック番号）をフォルダ管理メモリ３２に記憶管理しておき、録音対象の音楽曲をフラッシュメモリ３１に録音する際には、この録音対象の音楽曲の固有識別情報（ディスク情報及びトラック番号）を検出し、この録音対象の音楽曲の固有識別情報（ディスク情報及びトラック番号）に該当する固有識別情報（ディスク情報及びトラック番号）がフォルダ管理メモリ３２内にあると判定されると、フラッシュメモリ３１内に録音対象の音楽曲が録音済みであると判断し、この録音対象の音楽曲のフラッシュメモリ３１への録音を禁止するようにしたので、比較的扱いやすい固有識別情報を利用することで複雑な回路構成を用いることなく、同一音楽曲のフラッシュメモリ３１への重複録音を確実に防止することができる。
【０１０１】
本実施の形態によれば、録音対象の音楽曲をフラッシュメモリ３１に録音する際に、この録音対象の音楽曲の固有識別情報（ディスク情報及びトラック番号）を検出し、この固有識別情報（ディスク情報及びトラック番号）に該当する固有識別情報（ディスク情報及びトラック番号）がフォルダ管理メモリ３２内にないと判定されると、フラッシュメモリ３１内に録音対象の音楽曲が未録音であると判断し、この録音対象の音楽曲をフラッシュメモリ３１に録音するようにしたので、同一音楽曲の重複録音を確実に防止しながら、様々な音楽曲を録音することができる。
【０１０２】
本実施の形態によれば、フラッシュメモリ３１に録音済みの音楽曲と対応づけて、この音楽曲に関わる固有識別情報（ディスク情報及びトラック番号）をフォルダ管理メモリ３２に記憶管理しておき、ディスクに複数記録された録音対象の音楽曲をフラッシュメモリ３１に録音する際には、これら録音対象の音楽曲の固有識別情報（ディスク情報及びトラック番号）を検出し、この固有識別情報（ディスク情報及びトラック番号）に該当する固有識別情報（ディスク情報及びトラック番号）がフォルダ管理メモリ３２内にあると判定されると、フラッシュメモリ３１内に録音対象の音楽曲が録音済みであると判断し、この録音対象の音楽曲をフラッシュメモリ３１に録音する録音動作を禁止し、該当する固有識別情報がないと判定されると、フラッシュメモリ３１内に録音対象の音楽曲が未録音であると判断し、ディスクに複数記録された音楽曲の内、フラッシュメモリ３１に未録音の音楽曲を録音するようにしたので、比較的扱いやすい固有識別情報を利用することで複雑な回路構成を用いることなく、ディスク単位で録音するにしても、このディスクに記録された同一音楽曲のフラッシュメモリ３１への重複録音を確実に防止することができる。
【０１０３】
尚、上記実施の形態においては、図７のディスク録音処理のステップＳ５４にてフラッシュメモリ３１内に指定ディスクの全音楽曲を録音できる空き容量があるか否かを判定し、空き容量がない場合にはステップＳ６８の処理動作に移行するようにしたが、指定ディスクの全音楽曲を録音できる空き容量ではなく、指定ディスク内の未録音の音楽曲を録音できる空き容量があるか否かを判断し、同未録音の音楽曲を録音できる空き容量があった場合にはステップＳ５５に移行し、同未録音の音楽曲を録音できる空き容量がなかった場合にはステップＳ６８に移行するようにしても良い。
【０１０４】
また、上記実施の形態においては、録音対象の音楽曲をフラッシュメモリ３１に圧縮録音するようにしたが、フラッシュメモリ３１に限らず、ＭＤやハードディスク等であっても良いことは言うまでもない。
【０１０５】
また、上記実施の形態においては、ディスクの固有識別情報としてディスク情報及びトラック番号に基づき録音対象の音楽曲とフラッシュメモリ３１に録音済みの音楽曲とを比較するようにしたが、例えばディスクに含まれるアーティスト情報、アルバム情報やタイトル名等のテキスト情報を利用して、録音対象の音楽曲とフラッシュメモリ３１に録音済みの音楽曲とを比較しても、同様の効果が得られることは言うまでもない。
【０１０６】
また、上記実施の形態においては、フラッシュメモリ３１とフォルダ管理メモリ３２を別個に設けるようにしたが、例えばフラッシュメモリ３１内部の一部領域にフォルダ管理メモリ３２を設けるようにしても良いことは言うまでもない。
【０１０７】
【発明の効果】
上記のように構成された本発明のオーディオ装置によれば、前記記憶手段に録音済みの音楽曲と対応づけて同音楽曲に関わる固有識別情報を記憶管理手段に記憶管理しておき、録音対象の音楽曲を前記記憶手段に録音する際には、この録音対象の音楽曲の固有識別情報を検出し、この録音対象の音楽曲の固有識別情報に該当する固有識別情報が記憶管理手段内にあると判定されると、記憶手段内に録音対象の音楽曲が録音済みであると判断し、この録音対象の音楽曲の前記記憶手段への録音を禁止するようにしたので、比較的扱いやすい固有識別情報を利用することで複雑な回路構成を用いることなく、同一音楽曲の重複録音を確実に防止することができる。
【０１０８】
本発明のオーディオ装置によれば、録音対象の音楽曲を前記記憶手段に録音する際に、この録音対象の音楽曲の固有識別情報を検出し、この固有識別情報に該当する固有識別情報が記憶管理手段内にないと判定されると、記憶手段内に録音対象の音楽曲が未録音であると判断し、この録音対象の音楽曲を前記記憶手段に録音するようにしたので、同一音楽曲の重複録音を確実に防止しながら、様々な音楽曲を録音することができる。
【０１０９】
本発明のオーディオ装置によれば、固有識別情報が媒体識別情報と曲識別情報とを含むようにしたので、例えばディスクの媒体識別情報（ＴＯＣ情報）に含まれるディスク情報と、ディスクの曲識別情報に含まれるトラック番号とを利用することで、録音対象の音楽曲が録音済みであるか否かを確実に判定することができる。
【０１１０】
本発明のオーディオ装置によれば、前記記憶手段に録音済みの音楽曲と対応づけて、この音楽曲に関わる固有識別情報を記憶管理手段に記憶管理しておき、記録媒体に複数記録された録音対象の音楽曲を前記記憶手段に録音する際には、これら録音対象の音楽曲の固有識別情報を検出し、この固有識別情報に該当する固有識別情報が記憶管理手段内にあると判定されると、記憶手段内に録音対象の音楽曲が録音済みであると判断し、この録音対象の音楽曲を前記記憶手段に録音する録音動作を禁止し、該当する固有識別情報がないと判定されると、記憶手段内に録音対象の音楽曲が未録音であると判断し、前記記録媒体に複数記録された音楽曲の内、前記記憶手段に未録音の音楽曲を録音するようにしたので、比較的扱いやすい固有識別情報を利用することで複雑な回路構成を用いることなく、記録媒体単位で録音するにしても、この記録媒体に記録された同一音楽曲の重複録音を確実に防止することができる。
【０１１１】
本発明のオーディオ装置によれば、固有識別情報が媒体識別情報と曲識別情報とを含むようにしたので、例えばディスクの媒体識別情報（ＴＯＣ情報）に含まれるディスク情報と、ディスクの曲識別情報に含まれるトラック番号とを利用することで、録音対象の音楽曲が録音済みであるか否かを確実に判定することができる。
【図面の簡単な説明】
【図１】本発明のオーディオ装置における実施の形態を示す車載用オーディオ装置内部の概略構成を示すブロック図である。
【図２】本実施の形態を示す車載用オーディオ装置の操作パネルを示す説明図である。
【図３】本実施の形態を示す車載用オーディオ装置の要部であるマイコン内部の概略構成を示すブロック図である。
【図４】本実施の形態を示す車載用オーディオ装置のフォルダ管理メモリのメモリ内容を端的に示す説明図である。
【図５】本実施の形態を示す車載用オーディオ装置の録音モード処理に関わるマイコンの処理動作を示すフローチャートである。
【図６】本実施の形態を示す車載用オーディオ装置の１トラック録音処理に関わるマイコンの処理動作を示すフローチャートである。
【図７】本実施の形態を示す車載用オーディオ装置のディスク録音処理に関わるマイコンの処理動作を示すフローチャートである。
【符号の説明】
１    車載用オーディオ装置（オーディオ装置）
２１  ディスク再生部（録音手段）
２２  ＤＳＰ（録音手段）
３１  フラッシュメモリ（記憶手段）
３２  フォルダ管理メモリ（記憶管理手段）
６１  録音駆動制御部（制御手段）
６２  固有識別情報検出部（情報検出手段）
６３  フォルダ管理部（記憶管理手段）
６４  情報判定部（情報判定手段）
６８  制御部（制御手段）
【図１】
2004342247.tif 000003
【図２】
2004342247.tif 000004
【図３】
2004342247.tif 000005
【図４】
2004342247.tif 000006
【図５】
2004342247.tif 000007
【図６】
2004342247.tif 000008
【図７】
2004342247.tif 000009